(57)【要約】【課題】容器内に生ゴミ等を投入する際に、容器内部で発生している悪臭が外部へ漏れたり、内部からハエが飛び出したりすることを、従来のものよりさらに確実に防止できるようにし、使用者が不快に感じることがないようにした廃棄物処理容器を提供する。【解決手段】廃棄物処理容器(A)は、上部に開口部が設けられている容器(1)と、柔軟性を有する合成樹脂シートまたは合成樹脂フィルムで筒状に形成され、前記開口部に上部側を開き、投入口(20)を形成して取り付けられている隔離体(2)と、隔離体(2)のうち投入口(20)より下部側の相対向する二箇所を、常態では隔離体(2)を閉じることができ、閉じた部分(21)が投入物で押し拡げられたときには開くことができるように、互いに離れる方向へ引っ張る、吊り紐(3)で吊られた錘(4)とを備えている。【選択図】図１
2010189194.tif 000002
【特許請求の範囲】
【請求項１】
上部に開口部が設けられている容器(1)と、
柔軟性を有するシートまたはフィルムで筒状に形成され、上部側に前記開口部に通じる投入口(20)を形成し、下部側に前記容器(1)内部に通じる落下口(25)を形成して取り付けられている隔離体(2)と、
該隔離体(2)のうち前記落下口(25)近傍の相対向する二箇所を、常態では落下口(25)を閉じることができ、落下口(25)が投入物で押し拡げられたときには開くことができるように、互いに離れる方向へ引っ張る引っ張り手段(3,4)と、
を備えている、廃棄物処理容器。
【請求項２】
引っ張り手段は、容器(12)内に吊り紐(3)で吊り下げられ、吊り紐(3)が鉛直方向になる方向へ重力によって移動しようとする力で隔離体(2)を引っ張ることができる錘(4)を備えている、
請求項１の廃棄物処理容器。
【請求項３】
上部に開口部が設けられている容器(1)と、
柔軟性を有するシートまたはフィルムで筒状に形成され、上部側に前記開口部に通じる投入口(20)を形成し、下部側に前記容器(1)内部に通じる落下口(25)を形成して取り付けられている隔離体(2)と、
該隔離体(2)のうち前記落下口(25)近傍に相対向して二箇所に設けられ、常態では落下口(25)を閉じることができ、落下口(25)が投入物で押し拡げられたときには開くことができる磁力を有し変形性を有する磁石体(23,24)と、
を備えている、廃棄物処理容器。
【請求項４】
隔離体(2)を容器(1)に対して着脱できるようにする着脱手段(121,123)を備えている、
請求項１または３の廃棄物処理容器。
【発明の詳細な説明】
【技術分野】
【０００１】
本発明は廃棄物処理容器に関するものである。更に詳しくは、容器内に生ゴミ等の廃棄物を投入する際に、容器内部で発生している悪臭が外部へ漏れたり、内部からハエが飛び出したりすることを、従来のものよりさらに確実に防止できるようにし、使用者が不快に感じることがないようにした廃棄物処理容器に関する。
【背景技術】
【０００２】
例えば、家庭の台所で生じる生ゴミや使い捨てオムツなどの廃棄物は、その多くが燃えるゴミなどに分類され、自治体により収集されて焼却処分されている。ところが、近年においては、社会的な環境意識の高まりから、ゴミの焼却量を減らして二酸化炭素の排出量を削減する環境保全のための対策の一つとして、特に生ゴミの場合は、家庭で堆肥化して菜園などの肥料として利用することが行われている。
【０００３】
生ゴミを堆肥化するものとしては、コンポストが知られている。コンポストは、土の中に自然に存在する微生物を利用して生ゴミを堆肥化するものであるが、生ゴミが堆肥化するまでにコンポスト内で悪臭が発生して外へ漏れ出したり、蓋を開けるとハエが外へ飛び出すなど、衛生面で問題があり、使用者が不快な思いをすることがあった。この問題を解決するものとして、例えば特許文献１のコンポスト用容器がある。
【０００４】
このコンポスト用容器は、容器の上面に投入口を設け、投入口に蓋とゴミ受けを兼用する中蓋体を開閉自在に設け、さらに容器の上部に投入口を覆う外蓋を着脱自在に設け、中蓋体の開閉操作を外蓋を被せた状態で外部から行うことができるようにして、生ゴミ投入時の悪臭の漏れやハエの飛び出しを防止し、使用者が不快感を感じないようにするというものである。
【先行技術文献】
【特許文献】
【０００５】
【特許文献１】特開平９−７７５７９
【発明の開示】
【発明が解決しようとする課題】
【０００６】
前記コンポスト用容器は、単に投入口を設けただけの特に対策が講じられていないコンポストと比較すれば効果があるが、次のような新たな課題が生じていた。
すなわち、ゴミを一旦載せる中蓋体は、比較的剛性のある素材で形成しなければならない。このため、中蓋体に載置されているゴミを落とすときには、中蓋体の構成部材がその形状を保ったまま開閉動作をするので、中蓋体の開口部はゴミが通らない部分も大きく開いてしまう。
【０００７】
しかも、中蓋体と外蓋の間には、ゴミを載せるためにある程度の大きさの空間部を設けなければならない。したがって、中蓋体の上に載置されているゴミを落とすときに、中蓋体と外蓋の間の空間部に悪臭が充満したり、ハエが入ることを防ぐことができない。このため、ゴミを次に投入する際、外蓋を開けると、空間部に溜まっていた悪臭やハエの飛び出しで使用者が不快に感じてしまうことが依然としてあった。
【０００８】
そこで本発明の目的は、容器内に生ゴミ等を投入する際に、容器内部で発生している悪臭が外部へ漏れたり、内部からハエが飛び出したりすることを、従来のものよりさらに確実に防止できるようにし、使用者が不快に感じることがないようにした廃棄物処理容器を提供することである。
【課題を解決するための手段】
【０００９】
上記課題を解決するために本発明が講じた手段は次のとおりである。
本発明は、
上部に開口部が設けられている容器と、
柔軟性を有するシートまたはフィルムで筒状に形成され、上部側に前記開口部に通じる投入口を形成し、下部側に前記容器内部に通じる落下口(25)を形成して取り付けられている隔離体と、
該隔離体のうち前記落下口(25)近傍の相対向する二箇所を、常態では落下口(25)を閉じることができ、落下口(25)が投入物で押し拡げられたときには開くことができるように、互いに離れる方向へ引っ張る引っ張り手段と、
を備えている、廃棄物処理容器である。
【００１０】
本発明の廃棄物処理容器は、
引っ張り手段が、容器内に吊り紐で吊り下げられ、吊り紐が鉛直方向になる方向へ重力によって移動しようとする力で隔離体を引っ張ることができる錘を備えているものを採用することもできる。
【００１１】
本発明は、
上部に開口部が設けられている容器と、
柔軟性を有するシートまたはフィルムで筒状に形成され、上部側に前記開口部に通じる投入口を形成し、下部側に前記容器内部に通じる落下口(25)を形成して取り付けられている隔離体と、
該隔離体のうち前記落下口(25)近傍に相対向して二箇所に設けられ、常態では落下口(25)を閉じることができ、落下口(25)が投入物で押し拡げられたときには開くことができる磁力を有し変形性を有する磁石体と、
を備えている、廃棄物処理容器である。
【００１２】
本発明の廃棄物処理容器は、
隔離体を容器に対して着脱できるようにする着脱手段を備えているのがより好ましい。
【００１３】
特許請求の範囲及び明細書にいう「引っ張り手段」は、吊り紐で吊り下げるなどした錘の重さを利用する構造の他、例えば伸縮性を有するゴムやコイルバネの付勢力、あるいは撓み性を有する部材の付勢力を利用した構造があげられるが、これらに限定するものではない。
【００１４】
（作用）
本発明に係る廃棄物処理容器の作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１５】
廃棄物処理容器の容器(1)の開口部(120)に取り付けられている隔離体(2)は、常態においては投入口(20)より下部側の落下口(25)近傍の相対向する二箇所が引っ張り手段(3,4)によって引っ張られており、この引っ張り力（張力）によって隔離体(2)の下部側の落下口(25)が全幅にわたり密着して閉じられている。また、隔離体(2)の投入口より下部側の落下口(25)近傍に磁石体(23,24)が相対向して二箇所に設けられているものは、磁石体(23,24)同士の磁力により隔離体(2)の下部側の一部が全幅にわたり密着して閉じられている。
これにより、容器(1)内部で発生している悪臭が外部へ漏れたり、ハエが飛び出すことを防止することができる。
【００１６】
隔離体(2)の投入口(20)に生ゴミ等の廃棄物を投入すると、廃棄物の重みで隔離体(2)のうち密着して閉じられていた落下口(25)が引っ張り手段(3,4)の引っ張り力に抗して押し拡げられ、これにより隔離体(2)下部の落下口(25)から廃棄物が容器(1)内部へ落ちる。このとき、柔軟性を有する隔離体(2)は、引っ張り手段(3,4)の引っ張り力によって、通過する廃棄物の形に沿うように柔軟に変形して落下口(25)を形成する。また、隔離体(2)の投入口より下部側に磁石体(23,24)が相対向して二箇所に設けられているものは、磁石体(23,24)同士の磁力で閉じられていた落下口(25)が、投入された廃棄物の重みで磁力に抗して押し拡げられ、同様に落下口を形成する。
【００１７】
これにより、前記従来のコンポスト用容器のように、廃棄物が通過しない部分まで大きく開いてしまうようなことがなく、廃棄物の投入に際しても、容器(1)内部で発生している悪臭が外部へ漏れたり、ハエが飛び出すことを防止することができる。
【００１８】
隔離体(2)を容器(1)に対して着脱できるようにする着脱手段(121,123)を備えている廃棄物処理容器は、隔離体(2)が破れたり劣化しても新しいものに取り替えることができる。
【００１９】
引っ張り手段が、容器(1)内に吊り紐(3)で吊り下げられ、吊り紐(3)が鉛直方向になる方向へ重力によって移動しようとする力で隔離体(2)を引っ張ることができる錘(4)を備えている廃棄物処理容器は、錘(4)にかかる重力を利用して、常時引っ張り力を発揮できる。
【発明の効果】
【００２０】
本発明は、隔離体の投入口に廃棄物を投入したとき、柔軟性を有する隔離体は、引っ張り手段の引っ張り力によって、通過する廃棄物の形に沿うように柔軟に変形して落下口を形成する。また、隔離体に磁石体が相対向して二箇所に設けられているものは、変形性を有する磁石体同士の磁力で、通過する廃棄物の形に沿うように柔軟に変形して落下口を形成する。これにより、従来のコンポスト用容器のように、廃棄物が通過しない部分まで大きく開いてしまうようなことがない。
したがって、容器内に廃棄物を投入する際に、容器内部で発生している悪臭が外部へ漏れたり、内部からハエが飛び出したりすることを、従来のものよりさらに確実に防止できるので、使用者が不快に感じることがない廃棄物処理容器を提供することができる。
【図面の簡単な説明】
【００２１】
【図１】本発明に係る廃棄物処理容器の実施の形態を示す縦断面説明図。
【図２】本発明に係る廃棄物処理容器の実施の形態を示す平面視説明図。
【図３】容器の開口部に取り付けられている隔離体の斜視説明図。
【図４】隔離体の他の例を示す斜視説明図。
【図５】図４のＩ−Ｉ断面図。
【発明を実施するための形態】
【００２２】
本発明を図に示した実施例に基づき詳細に説明する。
【実施例】
【００２３】
図１は本発明に係る廃棄物処理容器の実施の形態を示す縦断面説明図、
図２は本発明に係る廃棄物処理容器の実施の形態を示す平面視説明図、
図３は容器の開口部に取り付けられている隔離体の斜視説明図である。
【００２４】
廃棄物処理容器Ａは、生ゴミ等の厨芥の堆肥化処理の他、使い捨てオムツなどの汚物の収容にも利用できるものである。
廃棄物処理容器Ａは、合成樹脂で形成された容器１と、合成樹脂シートで形成された隔離体２及び吊り紐３で吊り下げられた錘４を備えている。
容器１は、上部側が開口した平面視円形の下容器１１と、下容器１１の開口部に着脱可能に被冠される上容器１２を備えている。
【００２５】
下容器１１の底面１１０には、合成樹脂で形成された中底部材１３が置かれている。中底部材１３は、円板状の中底板１３０を有している。中底板１３０の下面側には、中底板１３０と底面１１０との間に貯留空間１１１を設けるための複数の脚部材１３１が設けられている。中底板１３０には、多数の通液孔１３２が上下面を貫通して設けられている。
また、下容器１１の底部側には、廃棄物が生ゴミの場合、その発酵（堆肥化）に伴い貯留空間１１１に溜まる発酵液を排出するための排液コック１１２が設けられている。
【００２６】
上容器１２の上部には円形の開口部１２０が形成されている。開口部１２０の口縁部には、全周にわたり係止壁１２１が上面１２２から所要の同じ高さで上方へ突出して設けられている。係止壁１２１には、固定具１２３が着脱可能に嵌め入れられている。固定具１２３は、中央に前記開口部１２０と同じ大きさの開口部１２４を有する円形状に形成されており、内周面より外側（径大側）に設けられ二壁で挟まれた嵌着部１２５を係止壁１２１に嵌め入れて固定される。なお、係止壁１２１と固定具１２３は、後述する隔離体２を上容器１２に対して着脱できるようにする着脱手段を構成する。
【００２７】
隔離体２は、柔軟性を有する合成樹脂フィルムで所要長さの筒状（または管（くだ）状）に形成されている。隔離体２を膨らませたときの大きさ（断面円形状に膨らませたときは直径）は、隔離体２を前記上容器１２の開口部１２０に通して、隔離体２の上端縁部を係止壁１２１に外側へ折り返すようにして内掛けができる大きさに設定されている。隔離体２は、上端縁部を前記のように係止壁１２１に対し内掛けした状態で、前記固定具１２３を嵌着部１２５と係止壁１２１で隔離体２を挟むように係止壁１２１に嵌め入れて固定されている。これにより、隔離体２の上部には、上容器１２の開口部１２０とほぼ同じ大きさの投入口２０が形成される。
【００２８】
隔離体２の下端部は、図１に示すように上容器１２の下部開口部の近くまで延長できる長さに設定されている。上容器１２の周壁１２６の内面側には、相対向する二箇所（周方向に１８０°の角度を成す位置）に吊り紐３によって錘４が吊り下げられている。錘４は金属で形成されており、隔離体２に取り付けるためのクリップ４０が一体に設けられている。各錘４は、クリップ４０で挟むことによって隔離体２の下端部の相対向する二箇所（周方向に１８０°の角度を成す位置）に取り付けられている。
【００２９】
各吊り紐３の長さ及び周壁１２６に対する取付位置は、図１に示すように、吊り紐３が鉛直方向になる方向へ各錘４が重力によって移動しようとする力で隔離体２を互いに離れる方向へ引っ張ることができるように設定または調節されている。クリップ４０を有する錘４と吊り紐３は、引っ張り手段を構成している。
【００３０】
また、隔離体２を挟むクリップ４０は、挟む部分の幅が比較的広くなっているので、図３に示すように隔離体２の下端部に上下方向に比較的広い幅で横方向に全幅にわたり密着させた密着部２１を形成することができる。これにより、例えば各錘が隔離体に対して点で取り付けられた場合のように、比較的狭い幅の密着部が形成されるものと比較して、密封性が十分に確保される。
【００３１】
なお、吊り紐３で吊り下げられた各錘４により隔離体２を相対向する二箇所で互いに離れる方向へ引っ張る力は、常態では前記したように隔離体２を閉じることができ、この閉じた部分が投入物（廃棄物）で押し拡げられたときには開くことができる強さに設定されている。また、本実施の形態では外蓋を設けていないが、例えば固定具１２３に着脱可能に外嵌めできる外蓋（図示省略）を設けることもできる。
【００３２】
（作用）
図１ないし図３を参照して廃棄物処理容器Ａの作用を説明する。
廃棄物処理容器Ａの容器１の開口部１２０に取り付けられている隔離体２は、常態においては投入口２０より下部側の相対向する二箇所が、吊り紐３で吊り下げられた各錘４により互いに離れる方向へ引っ張られており、この引っ張り力によって隔離体２の下部側の一部が全幅にわたり密着して密着部２１を形成し閉じられている。この状態では、容器１の内部と外部は隔離体２で隔離されており、容器１内部は密閉状態となっている。
【００３３】
これにより、容器１内部で悪臭やハエが発生していても、この悪臭が外部へ漏れたり、ハエが飛び出すことを防止することができる。なお、容器１内部が密閉状態になることにより、例えば廃棄物として生ゴミを投入する場合、生ゴミの発酵に伴い、容器１内部の湿度が高湿度（例えば６５％以上）に保たれ、ハエの幼虫から成虫への脱皮が阻害されるので、結果的にハエの発生を抑制することができる。
【００３４】
そして、隔離体２の投入口２０に廃棄物を投入すると、廃棄物の重みで隔離体２の下部の密着して閉じられていた密着部２１が各錘４による引っ張り力に抗して押し拡げられ、これにより隔離体２の下部に形成された落下口２５から廃棄物が下容器１１の内部へ落ちる。このとき、合成樹脂フィルムで形成され、柔軟性を有する隔離体２は、各錘４の引っ張り力によって、通過する廃棄物の形に沿うように柔軟に変形して落下口２５を形成する。
【００３５】
これにより、従来のコンポスト用容器のように、隔離体２の下部の落下口２５が、廃棄物が通過しない他の部分まで大きく開いてしまうようなことがない。したがって、廃棄物の投入に際しても、容器１内部で悪臭やハエが発生していても、この悪臭が外部へ漏れたり、ハエが飛び出すことを防止することができる。
【００３６】
なお、使用に伴い、隔離体２が劣化したり破れたりした場合は、新しいものと取り替えることができる。具体的には、まず、下容器１１から上容器１２を取り外し、次に隔離体２から各錘４を取り外し、さらに固定具１２３を係止壁１２１から取り外して、隔離体２を上容器１２から取り外すことができる。新しい隔離体２の取り付けは、前記と概ね逆の手順で行うことができる。
【００３７】
図４は隔離体の他の例を示す斜視説明図、
図５は図４のＩ−Ｉ断面図である。
【００３８】
隔離体２ａは、上部の投入口２０側を上容器１２の開口部１２０に対し、前記隔離体２と同様に取り付けられる。隔離体２ａの下端部には、上下方向に比較的広い幅で横方向に全幅（全周）にわたり外側へ折り返して袋部２２が形成されている。袋部２２の中には、隔離体２ａの全幅とほぼ同じ長さで細板状の二枚の磁石板２３、２４が収容されている。
【００３９】
磁石板２３、２４は、袋部２２のシートを挟んで磁着しており、これにより隔離体２ａの下端部の落下口２５は閉じられている。なお、磁石板２３、２４の磁力は、常態では前記したように隔離体２ａの下端部を閉じることができ、この閉じた部分が投入物（廃棄物）で押し拡げられたときには開くことができる強さに設定されている。
【００４０】
（作用）
図４及び図５を参照して、隔離体２ａの作用を説明する。
隔離体２ａは、常態においては磁石板２３、２４の磁力で下端部の落下口が全幅にわたり密着して閉じられている。この状態では、容器１の内部と外部は隔離体２ａで隔離されており、容器１内部で悪臭やハエが発生していても、この悪臭が外部へ漏れたり、ハエが飛び出すことを防止することができる。
【００４１】
そして、隔離体２ａの投入口２０に廃棄物を投入すると、廃棄物の重みで隔離体２ａの下部の密着して閉じられていた部分が磁石板２３、２４の磁力に抗して押し拡げられ、これにより隔離体２ａの下部に形成された落下口（符号省略）から廃棄物が下容器１１の内部へ落ちる。このとき、合成樹脂フィルムで形成され、柔軟性を有する隔離体２ａは、変形性を有する磁石板２３、２４の磁力によって、通過する廃棄物の形に沿うように柔軟に変形して落下口を形成する。
【００４２】
これにより、従来のコンポスト用容器のように、隔離体２ａの下部の落下口が、廃棄物が通過しない他の部分まで大きく開いてしまうようなことがない。したがって、廃棄物の投入に際しても、容器１内部で悪臭やハエが発生していても、この悪臭が外部へ漏れたり、ハエが飛び出すことを防止することができる。
なお、磁石板２３、２４の代わりにバネ板やバネ線材を使用し、その弾性力によって、常態では落下口２５を閉じることができ、落下口２５が投入物で押し拡げられたときには開くことができるようにした構造としてもよい。
【００４３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【符号の説明】
【００４４】
Ａ  廃棄物処理容器
１  容器
１１  下容器
１１０  底面
１１１  貯留空間
１１２  排液コック
１２  上容器
１２０  開口部
１２１  係止壁
１２２  上面
１２３  固定具
１２４  開口部
１２５  嵌着部
１２６  周壁
１３  中底部材
１３０  中底板
１３１  脚部材
１３２  通液孔
２  隔離体
２０  投入口
２１  密着部
２２  袋部
２５  落下口
３  吊り紐
４  錘
４０  クリップ
２ａ  隔離体
２２  袋部
２３、２４  磁石板
【図１】
2010189194.tif 000003
【図２】
2010189194.tif 000004
【図３】
2010189194.tif 000005
【図４】
2010189194.tif 000006
【図５】
2010189194.tif 000007